(57)【要約】      （修正有）【課題】夜間における表示部の輪郭が明確で視認性に優れた発光表示具を提供する。【解決手段】表示部２の外側輪郭３１を有する平板状の表示部材３と、表示部材３における表示部２の外側輪郭３１に嵌合する内側輪郭を呈するとともに表示部材３とほぼ等しい厚さを有する平板状の支持部材４とからなり、支持部材４が発光材を含有するとともに、表示部材３が非発光材または支持部材４に用いられる発光体と異なる発光色を有する発光材を含有して形成された平板状の板材からなるもの表示具１とした。【選択図】図３
0003137425.tif 000002
【実用新案登録請求の範囲】
【請求項１】
表示部の外側輪郭を有する平板状の表示部材と、前記表示部材における表示部の外側輪郭に嵌合する内側輪郭を呈するとともに前記表示部材とほぼ等しい厚さを有する平板状の支持部材とからなり、前記支持部材が発光材を含有するとともに、前記表示部材が非発光材または前記支持部材に用いられる発光体と異なる発光色を有する発光材を含有して形成された平板状の板材からなる支持部材とからなることを特徴とする発光表示具。
【請求項２】
前記支持部材の周囲に前記表示部材および支持部材とは異なる色彩が少なくとも表面に付された外枠部材が配置されていることを特徴とする請求項１に記載の発光表示具。
【請求項３】
前記方向表示部材、支持部材および外枠部材の側面と表面とを囲む透明のカバーが被着されていることを特徴とする請求項１または２に記載の発光表示具。
【考案の詳細な説明】
【技術分野】
【０００１】
本考案は室内や室外における目的箇所の順路を示すために例えば壁面や床面などに設置される表示板に関するものであり、特に発光作用を有する発光表示板に関するものである。
【背景技術】
【０００２】
従来、壁面や床面などに配置されて例えば目的の箇所や非常口などの行き先の方向等を表示する表示具が用いられており、特に、夜間や暗所における停電時などにおいても視認できるように発光材を用いたものが知られており、例えば、実用新案登録第３０３５３５４号公報、特開２００４−２３０６８９号公報、特開２００７−２１８１９号公報などに提示されている。
【０００３】
しかしながら、前記従来の発光材を用いた発光表示具は、例えば発光材の基板に非発光材を用いた塗料等により文字や図形などを表示したもの、或いは非発光材により形成された基板の表面に発光材により形成される塗料で文字や図形などを表示したものであり、発光体により表示するものは発光材が足りないことから充分な発光状態を得ることができず、また、発光材の基板を用いたものにあっては発光が強すぎて表示部の輪郭が確認しにくいことなどから、何れのものも夜間における視認性が充分でない、という問題がある。
【特許文献１】特開２００４−２３０６８９号公報
【特許文献２】特開２００７−２１８１９号公報
【特許文献３】実用新案登録第３０３５３５４号公報
【考案の開示】
【考案が解決しようとする課題】
【０００４】
本考案は、上記のような問題点を解決しようとするものであり、夜間における表示部の輪郭が明確で視認性に優れた発光表示具を提供するものである。
【課題を解決するための手段】
【０００５】
前記課題を解決にするためになされた本考案である発光表示具は、表示部の外側輪郭を有する平板状の表示部材と、前記表示部材における表示部材の外側輪郭に嵌合する内側輪郭を呈するとともに前記表示部材とほぼ等しい厚さを有する平板状の支持部材とからなり、前記支持部材が発光材を含有するとともに、前記表示部材が非発光材または前記支持部材に用いられる発光体と異なる発光色を有する発光材を含有して形成された平板状の板材からなることを特徴とする。
【０００６】
本考案によれば、支持部材が発光材を含有するとともに互いに嵌め込まれる前記支持部材と同じ厚さの指示部材を非発光材により形成したことにより、発光量が充分であるとともに前記表示部材または支持部材との境目が明確であることから夜間における表示部材の視認が確実である。
【０００７】
また、本考案では、支持部材が発光材を含有するとともに互いに嵌め込まれる前記支持部材と同じ厚さの指示部材が前記支持部材に用いられる発光体と異なる発光色を有する発光材を含有して形成された平板状の板材からなるものであり、この場合には支持部だけでなく指示部材も異なる色彩で発光するので特に前記表示部材の輪郭がよりくっきりとして夜間においても明確な表示が可能であり夜間での視認性が向上する。
【０００８】
さらに、本考案において、前記表示部材と支持部材との色彩が異なる場合には夜間や暗所だけでなく、昼間や照明などの明るい環境においても確認が容易かつ確実であり、支持部材の周囲に前記表示部材および支持部材とは異なる色彩が少なくとも表面に付された外枠部材が配置されている場合には、視認性を向上させるというデザイン面で優れているだけでなく、例えば表示具が目的地の案内方向を表示する目的の場合において外枠部材を目的箇所に応じて色分けしておくなどの表示具の目的にあわせて色彩を定めておくという使用方法も可能であり、前記方向表示部材、支持部材および外枠部材の側面と表面とを囲む透明のカバーが被着されている場合には構造的に表示部材と支持部材、さらには外枠部材が一体となって表示具全体としての構造的並びに視覚的な安定性を構成することができる。さらにまた、前記発光材が蓄光材により形成される場合には発光させるための高価で複雑な部品などを要さず製造も簡単であることからきわめて安価に提供することができ、裏面に貼着部材が配置されている場合には、壁面や床面などの被貼着部への取り付けがきわめて容易である。
【考案の効果】
【０００９】
本考案によると、暗所や夜間は勿論のこと、明所においても表示が確実で用途が広く取り扱いも容易な表示具を簡単かつ多量に安い価格で提供することができる。
【考案を実施するための最良の形態】
【００１０】
以下に、図面を参照しながら本考案を実施するための最良の形態を説明する。
【００１１】
図１乃至図９は、本考案の実施の形態の一例を示すものであり、全体が円形で中央に方向を示すための矢印がデザインされており、例えば廊下などの壁面や床面などに配置されて目的地の方向を表示するものである。
【００１２】
そして、本実施の形態である表示具１は、平面が矢印形を呈する外側輪郭３１を有する平板状の表示部材３と、この表示部材３における前記表示部２の外側輪郭３１に嵌合する内側輪郭４２を呈する前記表示部材３とほぼ等しい厚さを有する平板状の板材からなる外形が円形を呈する支持部材４とを有している。
【００１３】
また、前記表示部材３は例えば赤色の適宜硬質で表示具１を構成する厚さの非発光材である合成樹脂により形成される板材を平面が矢印形を呈する例えば赤色の外側輪郭３１の形状に切り抜いて抜き形状に形成され、支持部材４は例えば特開平１１−２４６７７９号公報等に提示されているような従来周知の熱可塑性樹脂に混入する畜光材を混入させたほぼ黄色の蛍光色を有する前記表示部材３の厚さに等しい板材を前記表示部材３の外側輪郭３１に嵌合する内側輪郭４２を切り抜いた外形が円形の抜き形状に形成されている。
【００１４】
尚、これらの切り抜き加工は例えば簡易なＣＡＤやＣＡＭ、ＮＣ（数値制御）工作技術を用いることにより容易に実施することができ、組立も互いに嵌め込むだけでよく、接着剤なども不要であり、きわめて簡単且つ容易である。
【００１５】
また、表示部材３を切り抜き（または打ち抜き）形成した残りの抜き型状部分を支持部材４に、支持部材４を切り抜き（または打ち抜き）形成した残りの抜き型状部分を表示部材３に利用することにより材料の無駄を省くことができる。
【００１６】
更に、本実施の形態では前記表示部材３は例えば赤色の適宜硬質で表示具１を構成する厚さの非発光材である合成樹脂により形成される場合を示したが、例えば特開平１１−７３８０７号公報に提示されているような蛍光材料を用いる手段や特開２００７−５１２６０号公報に提示されているような有色下地塗料を用いる手段などの周知の手段により前記表示部材３を発光材により形成してもよく、この場合には夜間や暗所で表示部材３および支持部材４が異なる色彩で一緒に発光するのでより視認性に優れる。
【００１７】
更にまた、本実施の形態では、前記支持部材４の外側にこの支持部材４が嵌合される円形の内側面５１を有する前記支持部材４とほぼ同じ厚さを有する合成樹脂材により形成された円形の外枠部材５が配置されている。この外枠部材５は少なくとも表面に前記表示部材３および支持部材４とは異なる例えば青色や緑色の色彩が付されており、特に本実施例では外枠部材５全体に色素が混入されている。
【００１８】
加えて、前記互いに嵌合させて組み立てられた表示部材３，支持部材４および外枠部材５の側面と表面には、これらを囲む透明のカバー６が被着されており、全体を一体化しているとともに高級感を与えている。
【００１９】
尚、カバー６と、表示部材３，支持部材４および外枠部材５の内の少なくとも１つとを透明の接着剤を用い、或いは、熱可塑性の樹脂を用いた場合には加熱手段により互いに接着しておくと全体が安定して好ましい。
【００２０】
更に、本実施の形態では裏面に前記表示部材３，支持部材４および外枠部材５にわたって貼着されるとともに裏面に粘着材７１を塗布した貼着部材７が配置されている。尚、図面中、符号７２は前記貼着部材７の粘着材７１の表面に配置された剥離紙である。
【００２１】
以上の構成を有する本実施の形態は、例えば図４に示すように病院の廊下９における壁面９１や床面９２の適所に貼着して使用する。このとき、本実施の形態では裏面に貼着部材７が配置されているので、剥離紙７１を剥がして粘着材７１を露出させそのまま所望の位置に貼ればよい。また、本実施の形態では、裏面に前記表示部材３，支持部材４および外枠部材５にわたって貼着されるとともに裏面に粘着材７１を塗布した貼着部材７が配置されていることから、表示部材３，支持部材４および外枠部材５が貼着部材７により接着されて互いに一体化されているとともに、特に前記表示部材３，支持部材４および外枠部材５が貼着部材７とカバー６とで挟持されて安定した状態にある。
【００２２】
そして、本実施の形態では表面の外側に配置した外枠部材５に色彩が付されているので、この色彩を用いて目的の箇所、例えば薬局とか非常口とかへの順路を予め定めておくことにより、表示した順路とともにあるいは表示具１の単独でも目的の方向を色彩により容易に確認することができる。
【００２３】
また、本実施例では夜間や照明を落とした暗所において支持部材４が発光するので、照明がなくても目的の方向を表示するので非常時や停電の際にも安全に避難や誘導ができる。特に本実施の形態では発光する支持部材４と非発光の表示部材２とが隣接していることから表示部材３の輪郭が明確に視認することができ、表示が確実である。また、外側の支持部材４が発光するのでその外側に嵌合された外枠部材５の色彩も確認できる。
【００２４】
尚、本実施の形態は平面が円形であるが、例えば図５乃至図８に示すように他の形状であってもよく、表示部材３の形状も図形に限らず文字であってもよい。また、本実施の形態では外側に外枠部材５を配置して使用目的別に色彩を付すようにしたが特に色彩を付さなくてもよく、また、外枠部材５並びにカバー６などもなくてもよく、使用する目的や用途に合わせて適宜選択すればよい。
【００２５】
尚、前記図１に示した実施例では前記支持部材４の外側にこの支持部材４が嵌合される円形の内側面５１を有する前記支持部材４とほぼ同じ厚さを有する合成樹脂材により形成された円形の外枠部材５が配置されている構成としたが、外枠部材５は例えば、 図９に示した本考案の異なる実施の形態に示したように、円形の薄板により形成してもよい。この場合には、外枠部材５の作成と組立がより簡単である。
【図面の簡単な説明】
【００２６】
【図１】本考案の実施の形態の一例における平面図。
【図２】図１のＡ−Ａ線に沿う断面拡大図。
【図３】図１に示した実施の形態を示すもので、（ａ）は斜視図、（ｂ）は斜視分解図。
【図４】図１に示した実施の形態の使用状態の一例を示す説明図。
【図５】本考案の異なる実施の形態を示す正面図。
【図６】本考案の異なる実施の形態を示す正面図。
【図７】本考案の異なる実施の形態を示す正面図。
【図８】本考案の異なる実施の形態を示す正面図。
【図９】本考案の異なる実施の形態を示す斜視分解図。
【符号の説明】
【００２７】
１  表示具、２  表示部、３  表示部材、４  支持部材、５  外枠部材、６  カバー、７  粘着部材、７１  剥離紙、３１  外側輪郭、４１  内側輪郭
【図１】
0003137425.tif 000003
【図２】
0003137425.tif 000004
【図３】
0003137425.tif 000005
【図４】
0003137425.tif 000006
【図５】
0003137425.tif 000007
【図６】
0003137425.tif 000008
【図７】
0003137425.tif 000009
【図８】
0003137425.tif 000010
【図９】
0003137425.tif 000011